(57)【特許請求の範囲】
【請求項１】
入口部とペット毛専用捕集部と吸引ファンと出口部を順次連通させた本体と、手元操作部を有し吸引口とこの吸引口の周囲に設けたブラシ部からなるブラシ本体と、前記ブラシ本体の吸引口の周囲に設けた吹出し口と、前記本体内に前記手元操作部からの信号を受けて前記吸引ファンの運転を制御する制御部とを設け、前記入口部と前記吸引口とを連結部材で連通すると共に、前記吹出し口と出口部とを連通する戻り通路を構成したことを特徴とするペット用ブラッシング装置。
【請求項２】
ペット毛専用捕集部はサイクロン分離部と集塵ケースで構成してなる請求項１記載のペット用ブラッシング装置。
【請求項３】
出口部上流側に脱臭部を設けたことを特徴とする請求項１または請求項２記載のペット用ブラッシング装置。
【請求項４】
吸引ファンの少なくとも上流側と下流側のいずれか一方にマフラーを設けたことを特徴とする請求項１〜３のいずれか１項に記載のペット用ブラッシング装置。
【請求項５】
ブラシ本体と本体を接続する連結部材を、前記本体内に収納し使用時のみ引き出す伸縮自在ホースで構成したことを特徴とする請求項１〜４のいずれか１項に記載のペット用ブラッシング装置。
【請求項６】
ブラシ本体に静電気を除去する静電気除去手段を設けた請求項１〜５のいずれか１項に記載のペット用ブラッシング装置。
【請求項７】
吸引ファン下流側に香り供給手段を設けた請求項１〜６のいずれか１項に記載のペット用ブラッシング装置。
【発明の詳細な説明】
【０００１】
【発明に属する技術分野】
本発明は犬や猫等のペットがブラッシングする際に嫌がる音と吸引感をなくし、抜け毛を周囲に飛散させることなく捕集することができるようにしたペット用のブラッシング装置に関するものである。
【０００２】
【従来の技術】
従来、この種のブラッシング装置としては、例えば、特開平１０−３２３２２７号公報等に記載されているようなものがあった。図８は、前記公報に記載された従来のブラッシング装置を示すものである。
【０００３】
図８において、１はブラシ本体、２はブラシ部材、３はブラシ基台、４は吸引ファン、５はフィルター、６は吸引孔、７は風抜き孔である。
【０００４】
【発明が解決しようとする課題】
しかしながら、前記従来の構成では、吸引ファン４が吸引孔６の直ぐ下流側に設置されているためブラッシング時に発生する吸引ファン４の音がペットに大きく影響し、また軸流型のため風量が多く毛が吸引される際に皮膚に風が当たって敏感なペットは嫌がって逃げてしまい、また無理に捕まえてブラッシングができた場合でもブラシ部材２やフィルター５に引っ掛った毛をブラシ部材から取り除く処理が非常に面倒であるという課題を有していた。
【０００５】
本発明は、前記従来の課題を解決するもので、ペットにはブラッシング時の安心感を、人間側にはブラッシング後の毛の処理を簡単にしたペット用ブラッシング装置を提供することを目的とする。
【０００６】
【課題を解決するための手段】
前記従来の課題を解決するために、本発明のペット用ブラッシング装置は、入口部とペット毛専用捕集部と吸引ファンと出口部を順次連通させた本体と、手元操作部を有し吸引口とこの吸引口の周囲に設けたブラシ部からなるブラシ本体と、前記ブラシ本体の吸引口の周囲に設けた吹出し口と、前記本体内に前記手元操作部からの信号を受けて前記吸引ファンの運転を制御する制御部とを設け、前記入口部と前記吸引口とを連結部材で連通すると共に、前記吹出し口と出口部とを連通する戻り通路を構成したものである。
【０００７】
これによって、ペットに触れるブラシ本体が、音源である吸引ファンを有する本体とは別体で構成されているため、距離減衰等の効果によってブラシ本体から放射される音が減音し、ペットへの音の影響が減少し、また本体側へ吸引されずにブラシ部に引っ掛った抜け毛もハケ等で除去するだけで簡単に周囲の吸引口からペット毛専用捕集部へ強制的に導かれる。
また、ブラシ部付近で還流流れが形成され吹出し流れが起毛作用と吸引圧の低減作用の役目を行ない、ペットにブラシ本体を接触させた際に、皮膚表面が吸い上げられる感覚が低減し、ブラッシング時にペットが恐がる一つの要因を解消することができると共に、起毛作用によりより奥の毛も吸引することができる。
また排気と共に室内に排出されるペット臭も低減できる。
【０００８】
【発明の実施の形態】
請求項１に記載の発明は、入口部とペット毛専用捕集部と吸引ファンと出口部を順次連通させた本体と、手元操作部を有し吸引口とこの吸引口の周囲に設けたブラシ部からなるブラシ本体と、前記ブラシ本体の吸引口の周囲に設けた吹出し口と、前記本体内に前記手元操作部からの信号を受けて前記吸引ファンの運転を制御する制御部とを設け、前記入口部と前記吸引口とを連結部材で連通すると共に、前記吹出し口と出口部とを連通する戻り通路を構成したことにより、一つは音源である吸引ファンとペットに接触するブラシ本体とが別体になっている点と、もう一つはペット毛自体はミリオーダーのゴミで、目が粗いフィルターで捕集が可能になるため、ペット毛専用捕集部はフィルター圧損を小さくでき吸引騒音としても低減でき、その結果ぺットへの音の影響を非常に小さくできるものである。さらにブラシ本体に手元操作部を設けているために吸引ファンの運転動作が手元で出来、ペットにブラシ本体を接触させている時はローパワーでやさしくブラッシングを行ない、離した時にはハイパワーでブラシ部の櫛の個所に引っ掛かった毛をハケ等で除去し周囲の吸引口からペット毛専用捕集部へ吸引させる等、ブラッシングの操作性や後処理を改善することができる。
また、ブラシ部付近で還流流れが形成され吹出し流れが起毛作用と吸引圧の低減作用の役目を行ない、ペットにブラシ本体を接触させた際に、皮膚表面が吸い上げられる感覚が低減し、ブラッシング時にペットが恐がる一つの要因を解消することができると共に、起毛作用によりより奥の毛も吸引することができる。
また排気と共に室内に排出されるペット臭も低減できる。
【０００９】
請求項２記載の発明は、特に、請求項１記載のペット毛専用捕集部をサイクロン分離部と集塵ケースで構成し、集塵ケースだけを取出せるようにしたことにより、フィルター交換が不要となることは勿論であるが、それ以上にペット毛のように大きいゴミを対象とする場合はサイクロン集塵が最適で問題なく分離され、集塵ケースに簡単に捕集される。また、サイクロン方式はフィルター方式と比較し圧力損失がさらに小さくできるため低騒音化へも大きく貢献する。
【００１０】
請求項３記載の発明は、特に、請求項１記載の出口部上流側に脱臭部を設けたことにより、ブラッシングを行ないながらペット毛の表面に付着した臭いを捕臭し脱臭部で脱臭して室内へ放出することができる。
【００１２】
請求項４記載の発明は、特に、請求項１記載の吸引ファンの少なくとも上流側と下流側のいずれか一方にマフラーを設けたことにより、音源である吸引ファンからの音の伝播経路で吸音し、出口部及び連結部材から室内へ放射される音を低減でき、ブラシ本体からの音もより小さくすることができる。
【００１３】
請求項５記載の発明は、特に、請求項１記載のブラシ本体と本体を接続する連結部材を、本体内に収納し使用時のみ引き出す伸縮自在ホースで構成したことにより、使用しない場合はブラシ本体だけが本体から見えて、使用したい時はブラシ本体を引っ張り出すような使い方ができるため、ホース等美観上好まれない物が見えないのでリビング等の室内に設置することができる。
【００１４】
請求項６記載の発明は、特に、請求項１記載のブラシ本体に静電気を除去する静電気除去手段を設けたことにより、ペットにブラシ本体を接触させた時にブラシ本体周囲に付く柔らかい毛も簡単に吸引することができる。
【００１５】
請求項７記載の発明は、特に、請求項１記載の吸引ファン下流側に香り供給手段を設けたことにより、好みの香りを戻り通路を通してペットに供給できるため、例えばペットの精神安定剤としてのアロマテラピー効果を得ることができる。
【００１６】
【実施例】
以下、本発明の実施例について図面を用いて説明する。
【００１７】
（実施例１）
図１は、本発明の第１の実施例１におけるペット用ブラッシング装置の構成図を示すものである。
【００１８】
図１において、８は入口部９とペット毛専用捕集部１０と吸引ファン１１と出口部１２を順次連通させた本体であり、１３はブラシ本体で、表側に手で握った際に指で操作できる位置に設けた手元操作部１４と、裏側は吸引口１５とブラシ部１６で構成されている。本実施例ではブラシ部１６周囲に吸引口１５が設けら場合を示している。また本体８内には手元操作部１４から有線または無線いずれかの信号を受けて吸引ファン１１の運転を制御する制御部１７を有しており、吸引ファン１１の制御として例えばＤＣモータによる回転数制御運転が行なわれる。またブラシ本体１３と本体８の入口部９とは細い径のダクトホース等からなる連結部材１８で連通され、吸引源を有する本体８と端末である吸引口１５を有するブラシ本体１３とは別体として構成されている。
【００１９】
次に動作、作用について説明する。ブラッシングは普通、ペットが小、中型の場合は膝の上に乗せ、大型の場合は座らせたり、伏せをさせて行うが、飼主はブラシ本体１３を手に持って毛並みに沿うようにしてブラシ本体１３を滑らせ体全体に施していくものである。その際、ブラシ本体１３に手元操作部１４を有しているので吸引運転の制御がブラッシングを行いながら手元で簡単にできるのでペットの性質によって吸引ファン１１の回転数を変えて騒音レベルを可変したり、ブラッシングを行っている時はローパワーで運転し、ブラシ部１６の櫛の個所に引っ掛かった抜け毛をハケ等で除去し周囲の吸引口１５からペット毛専用捕集部１０へ吸引させる時にはハイパワーで運転することができる。またブラッシング時に取れた抜け毛やブラシ部１６より除去した抜け毛は、実線矢印に示すように吸引口１５から吸引されて、連結部材１８を通ってペット毛専用捕集部１０で捕集される。抜け毛はペットによって様々のサイズを有しているが、長さは短い場合でも１ミリ以上で径は１０ミクロンオーダー程度であり、フィルターのメッシュとしては家庭用掃除機のような微細なものは必要でなく、そのためフィルター圧損が小さくなる。
【００２０】
以上のように、本実施例においてはブラシ本体１３と吸引ファン１１を有する本体８とを別体とし、また低圧損のフィルターを有したペット毛専用捕集部１０により、恐怖心が大きく音に対して敏感なペットへの音の影響を大幅に低減することができる。
【００２１】
また、本実施例ではブラシ本体１３に手元操作部１４を設けて、本体８内の吸引ファン１１の運転制御を行うことができるため、ブラッシング時の操作性を向上することができる。
【００２２】
（実施例２）
図２は、本発明の第２の実施例のペット用ブラッシング装置の要部構成図を示すものである。図２において、実施例１との構成と異なるところは、ペット毛専用捕集部１０をサイクロン分離部１９と集塵ケース２０で構成した点である。サイクロン分離部１９と集塵ケース２０を捕集状態が使用者に見える樹脂で形成してもよい。また集塵ケース２０は簡単に本体８から前面へ取出せるようになっている。
【００２３】
次に動作、作用について説明する。吸引される毛はある程度の重さがあるため、サイクロン分離部１９でサイクロン効果によって簡単に毛と流れが分離され集塵ケース２０内に堆積される。飼主は毛の溜まり具合を見て集塵ケース２０を本体８から取出しゴミとして廃棄する。
【００２４】
以上のように、本実施例においてはペット毛専用捕集部１０をサイクロン分離部１９と集塵ケース２０で構成したことにより、フィルター交換が不要となると共にペット毛のように大きいゴミに最適なサイクロン分離で問題なく分離され、集塵ケースに捕集することができる。
【００２５】
また、サイクロン捕集を行うことにより吸引抵抗が小さくでき吸引ファン１１の運転騒音を低減することができる。
【００２６】
（実施例３）
図３は、本発明の第３の実施例のペット用ブラッシング装置の構成図を示すものである。図３において、実施例１との構成と異なるところは、出口部１２の上流側に脱臭部２１を設けた点である。
【００２７】
次に動作、作用について説明する。アンモニア等のアミン系を中心とするペット臭がブラッシングを行なう際に、毛と一緒に吸引口１５から本体８側へ導かれ、ペット毛専用捕集部１０に溜まっている毛から生じる臭い成分と一緒になって脱臭部２１へ入るが、活性炭やゼオライト等の吸着材で形成され、最適な空間速度で設計された脱臭部２１を通過する際にほとんどが吸着されて、臭いレベルが閾値以下の空気として出口部１２から室内へ放出される。
【００２８】
（実施例４）
図４は、本発明の第４の実施例のペット用ブラッシング装置の構成図を示すものである。図４において、実施例１との構成と異なるところは、ブラシ本体１３に吹出し口２２を設け、吹出し口２２と出口部１２とを連通する戻り通路２３を構成した点である。図４の例では戻り通路２３は連結部材１８の周囲に構成し、吹出し口２２は吸引口１５の周囲に設けている。戻り通路２３は連結部材１８と平行に設けてもよい。
【００２９】
次に動作、作用について説明する。吸引口１５から吸引されたペット毛を有した流れ（実践矢印で示す）はペット毛専用捕集部１０で毛が捕集された後、吸引ファン１１、出口部１２から戻り通路２３を通って吹出し口２２から吸引口１５側に向かって吹出される（破線矢印で示す）。
【００３０】
以上のように、本実施例においてはブラシ部１６付近で還流流れが形成され吹出し流れが起毛作用と吸引圧の低減作用の役目を行ない、ペットにブラシ本体１３を接触させた際に、皮膚表面が吸い上げられる感覚が低減し、ブラッシング時にペットが恐がる一つの要因を解消することができると共に、起毛作用によりより奥の毛も吸引することができる。
【００３１】
また出口部１２から室内に排出される臭気成分も流れと共に循環されるため、室内側へ排出される量を低減することができる。
【００３２】
（実施例５）
図５は、本発明の第５の実施例のペット用ブラッシング装置の構成図を示すものである。図５において、実施例１との構成と異なるところは、吸引ファン１１の少なくとも上流側と下流側のいずれか一方にマフラー２４を設けた点で、図５においては連結部材１８と出口部１２に設けた場合を示している。
【００３３】
次に動作、作用について説明する。吸引ファン１１から発生する流体騒音や機械騒音は吸引ファン１１の吸込み側と排気側の両方から放射されるが、特に吸込み側から吸引口１５へ伝播される場合は連結部材１８内で共鳴等で音が増幅される場合が多いが、連結部材１８に共鳴型、膨張型、吸音型、各組合わせのマフラー２４を設けることによって共鳴やダクト騒音が抑制され、ブラシ本体１３からの音を低減でき、また出口部１２に同様のマフラー２４を設けることによっては、室内へ放出される騒音を低減することができる。
【００３４】
（実施例６）
図６は、本発明の第２の実施例のペット用ブラッシング装置の構成図を示すものである。図２において、実施例１との構成と異なるところは、連結部材１８を伸縮自在ホース２５で構成し、使用時のみ本体８から引き出し使用しない場合は本体８内に収納する点である。
【００３５】
次に動作、作用について説明する。通常使用しない場合は、図６に示すようにノズル本体１３だけが本体８から見えて設置されている。伸縮自在ホース２５は本体８内に入っており、ブラッシングを始めようとする場合にノズル本体１３を引上げて伸縮自在ホース２５を本体８から引き出して使用する。
【００３６】
以上のように、本実施例においては、使用しない場合はブラシ本体１３だけが本体８から見えて、ホース等美観上好まれない物が見えないのでリビング等の室内に設置することができる。
【００３７】
（実施例７）
本発明の第７の実施例のペット用ブラッシング装置は、ブラシ本体１３のペットと接触する個所にアルミ等の導電性材料で形成した静電気除去手段を設けたものである。その他静電気発生を防止する被膜やスプレーでブラシ本体１３を覆ってもよい。
【００３８】
ブラッシング動作で擦る際に発生する静電気により、吸引口１５周囲に吸引口１５から吸引されずに付着している微細毛が、静電気除去手段を施すことによって付着しなくなり、その結果吸引口１５から吸引される。
【００３９】
（実施例８）
図７は、本発明の第７の実施例のペット用ブラッシング装置の構成図を示すものである。図７において、実施例４との構成と異なるところは、吸引ファン１１の下流側に香り供給手段２６を設けた点である。
【００４０】
次に動作、作用について説明する。香り供給手段２６は例えば滴下型の容器とヒータ埋め込み型の受皿がセットになったものを戻り通路２３内に設置したもので、香りは香り成分を蒸発させて戻り側の流れと共にブラシ本体１３の吹出し口２２からペットに供給される。
【００４１】
以上のように、本実施例においては、香り成分としてペットが好む香りを選択できるため、ブラッシングと同時にアロマテラピー効果も得ることができるためペットのストレス解消を行なうことができる。また、脱臭効果を有する成分を吹出すことによってブラッシングによってペット臭の除去も行うことができる。
【００４２】
【発明の効果】
以上のように、請求項１〜７に記載の発明によれば、ブラッシング時にペットが嫌がる音と吸引感を大幅に低減することができ、特に室内でブラッシングを行なう飼養者には、操作性の向上とブラッシング後の毛の処理の簡単化が図れ、本体設置における美観上の問題も解決することができる。
【図面の簡単な説明】
【図１】本発明の実施例１におけるペット用ブラッシング装置の構成図
【図２】本発明の実施例２におけるペット用ブラッシング装置の要部構成図
【図３】本発明の実施例３におけるペット用ブラッシング装置の構成図
【図４】本発明の実施例４におけるペット用ブラッシング装置の構成図
【図５】本発明の実施例５におけるペット用ブラッシング装置の構成図
【図６】本発明の実施例６におけるペット用ブラッシング装置の構成図
【図７】本発明の実施例８におけるペット用ブラッシング装置の構成図
【図８】従来のペット用ブラッシング装置の構成図
【符号の説明】
８    本体
９    入口部
１０  ペット毛専用捕集部
１１  吸引ファン
１２  出口部
１３  ブラシ本体
１４  手元操作部
１５  吸引口
１６  ブラシ部
１７  制御部
１８  連結部材
１９  サイクロン分離部（ペット毛専用捕集部）
２０  集塵ケース（ペット毛専用捕集部）
２１  脱臭部
２２  吹出し口
２３  戻り通路
２４  マフラー
２５  伸縮自在ホース（連結部材）
２６  香り供給手段
【図１】
0004701507.tif 000002
【図２】
0004701507.tif 000003
【図３】
0004701507.tif 000004
【図４】
0004701507.tif 000005
【図５】
0004701507.tif 000006
【図６】
0004701507.tif 000007
【図７】
0004701507.tif 000008
【図８】
0004701507.tif 000009